(57)【要約】【課題】本発明は、有限領域であるハイブリッド記録媒体のＲＡＭ領域を一般的な他の記録媒体の記録領域に拡張することでその領域を無限にできるハイブリッド記録媒体における情報記録再生方法を提供することを目的とする。【解決手段】本発明の、ハイブリッド記録媒体における情報記録再生方法によれば、ハイブリッド記録媒体が有するＲＡＭ領域には、プログラムやデータであるコンテンツ記録情報と、該コンテンツを記録不可能となったとき他の記録媒体に記録して拡張することを示すＲＡＭ領域拡張識別子とが記憶される。【選択図】        図１０
2005037982.tif 000002
【特許請求の範囲】
【請求項１】
読み込み専用のＲＯＭ領域と書込み可能なＲＡＭ領域とを有するハイブリッド記録媒体における情報記録再生方法において、
前記ＲＡＭ領域には、プログラムやデータであるコンテンツ記録情報と、該コンテンツを記録不可能となったとき他の記録媒体に記録して拡張することを示すＲＡＭ領域拡張識別子とが記憶されることを特徴とするハイブリッド記録媒体における情報記録再生方法。
【請求項２】
前記ＲＡＭ領域の拡張領域であることを示すＲＡＭ領域識別子が、前記他の記録媒体に記録される請求項１記載のハイブリッド記録媒体における情報記録再生方法。
【請求項３】
他の記録媒体に拡張された前記ＲＡＭ領域を更に他の記録媒体に拡張したことを示す領域拡張識別子が、前記ＲＡＭ領域に記憶される請求項１又は２に記載のハイブリッド記録媒体における情報記録再生方法。
【請求項４】
他の記録媒体に拡張された前記ＲＡＭ領域が更に拡張したことを示す領域識別子が、前記ＲＡＭ領域に記録される請求項１記載のハイブリッド記録媒体における情報記録再生方法。
【請求項５】
前記ＲＡＭ領域の空容量から前記ＲＡＭ領域拡張識別子の容量を差し引いた容量が記録しようとする前記コンテンツ記録情報の容量より少ないときに、前記ＲＡＭ領域に前記ＲＡＭ領域拡張識別子を記録し、前記ＲＡＭ領域識別子及び前記領域識別子並びに前記領域拡張識別子が記録されていない記録媒体に、前記ＲＡＭ領域識別子及び前記コンテンツ記録情報を記録する請求項１〜４のいずれかに記載のハイブリッド記録媒体における情報記録再生方法。
【請求項６】
前記他の記録媒体における記録領域の空容量から前記領域拡張識別子の容量を差し引いた容量が記録しようとする前記コンテンツ記録情報の容量より少ないときに、前記他の記録媒体の前記記録領域に前記領域拡張識別子を記録し、前記ＲＡＭ領域識別子及び前記領域識別子並びに領域拡張識別子が記録されていない記録媒体に、前記領域識別子及び前記コンテンツ記録情報を記録する請求項１〜４のいずれかに記載のハイブリッド記録媒体における情報記録再生方法。
【請求項７】
前記領域拡張識別子と前記ＲＡＭ領域拡張識別子とは同じ識別子とする請求項３、５、６のいずれかに記載のハイブリッド記録媒体における情報記録再生方法。
【請求項８】
前記領域識別子と前記ＲＡＭ領域拡張識別子とは同じ識別子とする請求項４〜６のいずれかに記載のハイブリッド記録媒体における情報記録再生方法。
【発明の詳細な説明】
【０００１】
【発明の属する技術分野】
本発明はハイブリッド記録媒体における情報記録再生方法に関し、特にハイブリッド記録媒体を導入ディスクとして利用したコンテンツのバージョンアップ方法に関する。
【０００２】
【従来の技術】
【特許文献１】特開２０００−２８５６０８号公報
ハイブリッド記録媒体を利用したソフトウェアやデータ（以下コンテンツと称す）は、ＣＤ／ＤＶＤ−ＲＯＭの形態で提供されるのが一般的であり、また、インターネットの普及に伴い、コンテンツのバージョンアップはコンテンツ提供者のホームページからバージョンアップ用コンテンツをダウンロードする方法が一般的になっている。つまり、利用者がコンテンツを導入した後に発生するコンテンツのバージョンアップは、コンテンツ提供者は自分のホームページにバージョンアップ用のコンテンツを提供し、利用者は必要に応じてコンテンツ提供者のホームページにインターネット接続し、バージョンアップ用のコンテンツをダウンロードすることで容易にコンテンツをバージョンアップできるようになった。
【０００３】
しかし、ここでバージョンアップされるのは、パーソナルコンピュータのハードディスクに代表されるような情報処理装置内の記録媒体に導入されているコンテンツが対象となっている。
【０００４】
一方、パーソナルコンピュータを買い替える場合やコンテンツを再導入する必要が発生した場合、利用者は利用者が所有する旧バージョンのコンテンツを導入し、その後更にインターネット接続してバージョンアップ用のコンテンツをダウンロードして最新のバージョンしなければならず、利用者にとっては時間と手間がかかっていた。
【０００５】
これを改善するための方法として、上記特許文献１のように、ハイブリッド記録媒体を利用したコンテンツ導入用ディスク（インストールディスク）において、ＲＯＭ領域にコンテンツを記録しておき、ＲＡＭ領域を利用してバージョンアップを行う方法が提案されている。つまりバージョンアップがあった場合はそのバージョンアップされたコンテンツをＲＡＭ領域に記録していくことでコンテンツ導入用ディスクを常に最新バージョンに維持しようとするものである。この方法によれば、利用者はコンテンツを再導入する場合、容易に最新バージョンのコンテンツの導入が可能になる。
【０００６】
【発明が解決しようとする課題】
しかしながら、上述したように、ハイブリッド記録媒体のＲＡＭ領域を利用したバージョンアップ方法では、バージョンアップ用のコンテンツを記録するためのＲＡＭ領域容量は有限であることから、ＲＡＭ領域を効率良く使用することを考慮しなければならない。
【０００７】
本発明はこの問題点を解決するためのものであり、有限領域であるハイブリッド記録媒体のＲＡＭ領域を一般的な他の記録媒体の記録領域に拡張することでその領域を無限にできるハイブリッド記録媒体における情報記録再生方法を提供することを目的とする。
【０００８】
【課題を解決するための手段】
前記問題点を解決するために、読み込み専用のＲＯＭ領域と書込み可能なＲＡＭ領域とを有するハイブリッド記録媒体における情報記録再生方法によれば、ＲＡＭ領域には、プログラムやデータであるコンテンツ記録情報と、該コンテンツを記録不可能となったとき他の記録媒体に記録して拡張することを示すＲＡＭ領域拡張識別子とが記憶される。よって、コンテンツ記録情報の記録、参照先は他の記録媒体であることが判別でき、ハイブリッド記録媒体のＲＡＭ領域を一般的な他の記録媒体の記録領域に拡張することでその領域を無限にできる。
【０００９】
また、ＲＡＭ領域の拡張領域であることを示すＲＡＭ領域識別子が他の記録媒体に記録されることにより、コンテンツ記録情報が記録されている他の記録媒体であることの判別やコンテンツ情報記録を参照すべき他の記録媒体であることが判断できる。
【００１０】
更に、他の記録媒体に拡張されたＲＡＭ領域を更に別の記録媒体に拡張したことを示す領域拡張識別子がＲＡＭ領域に記憶されることにより、コンテンツ記録情報の記録、参照先は更に別の記録媒体であることが判別できる。
【００１１】
また、他の記録媒体に拡張されたＲＡＭ領域が更に拡張したことを示す領域識別子がＲＡＭ領域に記録されることにより、コンテンツ記録情報が記録されている更に別の記録媒体であることの判別やコンテンツ記録情報を参照すべき更に別の記録媒体であることが判断できる。
【００１２】
更に、ＲＡＭ領域の空容量からＲＡＭ領域拡張識別子の容量を差し引いた容量が記録しようとするコンテンツ記録情報の容量より少ないときに、ＲＡＭ領域にＲＡＭ領域拡張識別子を記録し、ＲＡＭ領域識別子及び領域識別子並びに領域拡張識別子が記録されていない記録媒体に、ＲＡＭ領域識別子及びコンテンツ記録情報を記録する。よって、ＲＡＭ領域拡張識別子が記録されているときは必ず他の記録媒体が存在し、コンテンツ記録情報は他の記録媒体に記録されるようになる。また、他の記録媒体の存在の有無をプログラム的に判断できるので、他の記録媒体の存在を利用者に通知できることから利用者の記憶等に頼らず、確実に最新のコンテンツの導入ができるようになる。
【００１３】
また、他の記録媒体における記録領域の空容量から領域拡張識別子の容量を差し引いた容量が記録しようとするコンテンツ記録情報の容量より少ないときに、他の記録媒体の記録領域に領域拡張識別子を記録し、ＲＡＭ領域識別子及び領域識別子並びに領域拡張識別子が記録されていない記録媒体に、領域識別子及びコンテンツ記録情報を記録する。よって、他の記録媒体に領域拡張識別子が記録されているときは必ず更に別の記録媒体が存在し、コンテンツ記録情報は更に別の記録媒体に記録されるようになる。また、更に別の記録媒体の存在の有無をプログラム的に判断できるので、更に別の記録媒体の存在を利用者に通知できることから利用者の記憶等に頼らず、確実に最新のコンテンツの導入ができるようになる。
【００１４】
更に、領域拡張識別子とＲＡＭ領域拡張識別子とを同じ識別子とすることにより、ハイブリッド記録媒体のＲＡＭ領域が他の記録媒体に拡張されたことの判別が簡単にでき、他の記録媒体が複数枚になった場合でも最後に記録した他の記録媒体だけを保管するだけでよい。
【００１５】
また、領域識別子とＲＡＭ領域拡張識別子とを同じ識別子とすることにより、ハイブリッド記録媒体のＲＡＭ領域を拡張した他の記録媒体であることの判別が簡単にでき、他の記録媒体が複数枚になった場合でも最後に記録した他の記録媒体だけを保管するだけでよい。
【００１６】
【発明の実施の形態】
本発明の、ハイブリッド記録媒体における情報記録再生方法によれば、ハイブリッド記録媒体が有するＲＡＭ領域には、プログラムやデータであるコンテンツ記録情報と、該コンテンツを記録不可能となったとき他の記録媒体に記録して拡張することを示すＲＡＭ領域拡張識別子とが記憶される。
【００１７】
【実施例】
図１はハイブリッド記録媒体の概略を示す図である。同図に示すハイブリッド記録媒体１０は、ＲＯＭ領域１１とＲＡＭ領域１２を有している。ＲＯＭ領域１１は、コンテンツ導入のために予め記録された記録領域であって、コンテンツ（ソフトウェア及び／若しくはデータ）、コンテンツ記録ソフトウェア、バージョンアップソフトウェア、第１の導入ソフトウェア、導入判定ソフトウェアが記録若しくはスタンパで形成されている。また、ＲＡＭ領域１２は、コンテンツ記録情報領域であって、ＲＯＭ領域１１に予め記録されているコンテンツにバージョンアップがあった場合、第２の記録媒体を利用してバージョンアップした経緯であるコンテンツ記録情報を記録するための記憶領域である。このハイブリッド記録媒体１０は、追記型（Ｒｅｃｏｒｄａｂｌｅ）若しくは書き換え型（ＲｅＷｒｉｔａｂｌｅ）のＣＤ／ＤＶＤ記録媒体で構成される。このハイブリッド記録媒体１０では、バージョンアップすることでこのＲＡＭ領域は消費され、コンテンツ記録情報が記録できなくなった時にＲＡＭ領域拡張識別子を記録して、記録できなかったコンテンツ記録情報は第３の記録媒体に記録する。
【００１８】
図２は図１のハイブリッド記録媒体等の記録媒体に情報の記録再生を行う情報処理装置の構成を示すブロック図である。図１と同じ参照符号は同じ構成要素を示す。同図に示す情報処理装置２０は、コンテンツ導入用ハイブリッド記録媒体からコンテンツを導入し、利用者は導入したコンテンツを利用して情報処理を行うための装置であり、代表的な装置としてパーソナルコンピュータがある。もちろん、特定の情報を処理するための装置であってもかまわない。情報処理装置２０は、本装置を管理・制御するＣＰＵ２１と、ハードディスク装置に代表される内部記録部２２と、ディスプレイなどの表示部２３と、キーボード、マウスなどの入力部２４と、記憶部２５と、ハイブリッド記録媒体１０、ＣＤ−Ｒ／ＲＷやＤＶＤ＋Ｒ／ＲＷなどの脱着可能な第２の記録媒体１３及び脱着可能な第３の記録媒体１４に対して情報を記録・再生する記録再生部２６と、公衆回線網と接続する公衆回線接続部２７とを含んで構成され、各構成要素はシステムバス２８を介してそれぞれ接続されている。
【００１９】
図３は図１のＲＡＭ領域に記録されるコンテンツ記録情報を示す図である。同図において、コンテンツ記録情報は、図２の第２の記録媒体１３にバージョンアップされたコンテンツを記録する時にＲＡＭ領域に記録する情報で、再導入する時にコンテンツ記録媒体に記録されているコンテンツの導入の要否を示すコンテンツ導入要否情報３１と、再導入する時に導入すべきバージョン情報を導入の順に記録したバージョンテーブル３２と、バージョンテーブル３２に記録されているバージョン情報の数であるバージョンテーブル数３３で構成される。例えば、コンテンツ導入要否情報３１が「要」の場合、再導入する時はコンテンツ導入用の図２のハイブリッド記録媒体１０に記録されているコンテンツを導入した後、バージョンテーブル３２に記録されているバージョンを第２の記録媒体１３から順に導入することを意味する。この場合、第２の記録媒体１３に記録されているバージョンアップするコンテンツはコンテンツ導入用のハイブリッド記録媒体１０に記録されているコンテンツに対する「差分型」であることになる。ここで、この「差分型」とは該当するコンテンツだけではバージョンアップできず、元になるコンテンツを導入後に「差分型」を導入することでバージョンアップしたことになるようなコンテンツ形式をさす。コンテンツ導入要否情報３１が「不要」の場合、再導入する時はコンテンツ導入用のハイブリッド記録媒体１０に記録されているコンテンツを導入せずにバージョンテーブル３２に記録されているバージョンを第２の記録媒体１３から順に導入することになる。この場合、第２の記録媒体１３に記録されているバージョンアップするコンテンツは「完結型」のみか「完結型」とこれに対する「差分型」であることになる。また、コンテンツ導入要否情報３１は次の場合に設定される。ここで、「完結型」とは該当するコンテンツを導入するだけでバージョンアップしたことになるようなコンテンツ形式をさす。そして、コンテンツ導入用のハイブリッド記録媒体１０に記録されているコンテンツを初めてバージョンアップする場合、コンテンツが「差分型」の場合は「要」、「完結型」の場合は「不要」に設定される。更に、２回目以降のコンテンツが「完結型」の場合は、「不要」に設定される。なお、「差分型」の場合は維持される。
【００２０】
また、コンテンツテーブル３２にはコンテンツを導入する順序にバージョンテーブル数３３だけバージョン情報が記録されている。よって、「完結」するコンテンツを第２の記録媒体１３に記録した場合は、コンテンツテーブル数３３は１に書き換えられ、コンテンツテーブル３２には該当バージョン情報が１つだけが記録される。「差分型」のコンテンツ第２の記録媒体１３に記録した場合は、コンテンツテーブル数３３に１が加算され、コンテンツテーブル３２にはコンテンツテーブル数３３が指し示すバージョンテーブル３２の位置にコンテンツの持つバージョンが追加される。このようにコンテンツ記録情報はコンテンツが「差分型」か「完結型」かにより記録内容はその都度変化する。
【００２１】
図４は初めてのバージョンアップコンテンツが「差分型」だった場合のコンテンツ記録情報を示す図である。同図に示すように、コンテンツ導入要否情報４１が「要」であるので、最新のバージョン番号４２の「Ｖｘ」を導入するには、コンテンツ導入用の図２のハイブリッド記録媒体１０からコンテンツを導入した後、第２の記録媒体１３に記録されている「Ｖｘ」のコンテンツを導入すればよいことを意味する。
【００２２】
図５は初めてのバージョンアップコンテンツが「完結型」だった場合のコンテンツ記録情報を示す図である。コンテンツ導入要否情報５１が「不要」であるので、バージョンアップする中で完結するコンテンツによるバージョンアップがあったことを示し、この場合は最新のバージョン番号５２の「Ｖｘ」を導入するためには第２の記録媒体１３に記録されているコンテンツだけを導入すればよいことを意味する。
【００２３】
図６は図４の後に更に差分型コンテンツでバージョンアップがあった場合のコンテンツ記録情報を示す図である。コンテンツ導入要否情報６１が「要」であるので、最新のバージョン番号６３の「Ｖｙ」を導入するには、コンテンツ導入用の図２のハイブリッド記録媒体１０からコンテンツを導入した後、第２の記録媒体１３に記録されている「Ｖｘ」のコンテンツを導入し、更に第２の記録媒体１３に記録されている「Ｖｙ」のコンテンツを導入すればよいことを意味する。
【００２４】
図７は図５の後に更に差分型コンテンツでバージョンアップがあった場合のコンテンツ記録情報を示す図である。コンテンツ導入要否情報７１が「不要」であるので、完結型コンテンツのバージョンの「Ｖｘ」を導入した後、第２の記録媒体１３に記録されている「Ｖｙ」のコンテンツを導入すればよいことを意味する。
【００２５】
図８はコンテンツ提供者が提供するコンテンツ導入用ハイブリッド記録媒体の構成を示す図である。ＲＯＭ領域８１には、導入判定ソフトウェア８１１と第１の導入ソフトウェア８１２とコンテンツ８１３とコンテンツ記録ソフトウェア８１４とバージョンアップソフトウェア８１５とが記録され、ＲＡＭ領域８２はコンテンツ記録情報領域として予約されている。
【００２６】
図９はコンテンツが記録された第２の記録媒体の構成を示す図である。同図において、図２の第２の記録媒体１３に記録されているコンテンツのバージョンを示すバージョン番号９１と第２の導入ソフトウェア９２とバージョン番号「Ｖｘ」のコンテンツ９３が記録されている。
【００２７】
図１０はハイブリッド記録媒体のＲＡＭ領域にコンテンツ記録情報（ｉ）が記録できなかった時のハイブリッド記録媒体のＲＡＭ領域の構成を示す図である。同図において、第１のコンテンツ記録情報（１）１０２１からコンテンツ記録情報（ｉ−１）１０２２はコンテンツをバージョンアップした順番でＲＡＭ領域に記録されたコンテンツ記録情報でコンテンツ記録情報（ｉ）が記録できなかったので、ＲＡＭ領域拡張識別子１０２３が記録される。ＲＡＭ領域拡張識別子１０２３としては、コンテンツを導入するときに入力するディスクのシリアルナンバーのような情報を利用するなどＲＡＭ領域拡張識別子であると特定できる情報であれば良い。
【００２８】
図１１はハイブリッド記録媒体のＲＡＭ領域にコンテンツ記録情報（ｉ）が記録できなくなった時の第３の記録媒体の構成を示す図である。同図において、図２の第３の記録媒体１４にはハイブリッド記録媒体のＲＡＭ領域を拡張したことを示すＲＡＭ領域識別子１１１と今回のバージョンアップで発生し、かつＲＡＭ領域に記録できなかったコンテンツ記録情報（ｉ）１１２が記録される。ＲＡＭ領域識別子１１１としては、ＲＡＭ領域拡張識別子の情報（のｂｉｔを反転した情報）等を利用するなどしてＲＡＭ領域識別子であると特定できる情報であれば良い。
【００２９】
図１２は第３の記録媒体の記録領域にコンテンツ記録情報（ｊ）が記録できなかった時の第３の記録媒体の記録領域の構成を示す図である。同図において、ＲＡＭ領域識別子１２１はコンテンツ記録情報（ｉ）１２２を記録する時に記録され、バージョンアップした順番で図２の第３の記録媒体１４の記録領域にはコンテンツ記録情報（ｊ−１）１２３が記録されている。コンテンツ記録情報（ｊ）が記録できなかったので領域拡張識別子１２４が記録される。領域拡張識別子１２４はコンテンツを導入するときに入力するディスクのシリアルナンバーのような情報を利用するなど領域拡張識別子であると特定できる情報であれば良い。また、この領域拡張識別子１２４がＲＡＭ領域拡張識別子と同じであっても良い。
【００３０】
図１３は第３の記録媒体の記録領域にコンテンツ記録情報が記録できなくなった時の別の第３の記録媒体の記録領域の構成を示す図である。同図において、別の第３の記録媒体１４には第３の記録媒体１４の記録領域を拡張したことを示す領域識別子１３１と今回のバージョンアップで発生し、かつ第３の記録媒体１４の記録領域に記録できなかったコンテンツ記録情報（ｊ）１３２が記録される。領域識別子１３１としては、領域拡張識別子の情報（のｂｉｔを反転した情報）等を利用するなどして領域識別子であると特定できる情報であれば良い。また、この領域識別子がＲＡＭ領域識別子と同じであっても良い。
【００３１】
図１４は別の第３の記録媒体の記録領域にコンテンツ記録情報が記録できなくなった時の更に別の第３の記録媒体の記録領域の構成を示す図である。同図において、領域識別子１４１はコンテンツ記録情報（ｊ）１４２を記録する時に記録され、バージョンアップした順番で別の第３の記録媒体１４の記録領域にはコンテンツ記録情報（ｋ−１）１４３が記録されている。コンテンツ記録情報（ｋ）が記録できなかったので領域拡張識別子１４４が記録される。
【００３２】
図１５は別の第３の記録媒体の記録領域にコンテンツ記録情報が記録できなくなった時の更に別の第３の記録媒体の記録領域の構成を示す図である。同図において、別の第３の記録媒体１４には別の第３の記録媒体１４の記録領域を拡張したことを示す領域識別子１５１と今回のバージョンアップで発生し、かつ第３の記録媒体の記録領域に記録できなかったコンテンツ記録情報（ｋ）１５２が記録される。
【００３３】
このように、コンテンツ導入用ハイブリッド記録媒体のＲＡＭ領域（コンテンツ記録情報領域）にコンテンツ記録情報が記録できなくなっても、第３の記録媒体１４に記録することが可能になる。また、ＲＡＭ領域拡張識別子と領域拡張識別子、ＲＡＭ領域識別子と領域識別子をそれぞれ同じ情報にすることでコンテンツ記録情報を記録する第３の記録媒体１４を全て同じように扱うことが可能になる。更に、利用者は最新のコンテンツ記録情報が記録されている第３の記録媒体１４だけを管理すればよい。
【００３４】
ここで、利用者はコンテンツを新しく導入しようとする時若しくは再導入しようとする時、コンテンツ導入用の図２のハイブリッド記録媒体１０を記録再生装置に装着し、導入判定ソフトウェアを起動する。利用者はこの操作によってバージョンアップのためのコンテンツが「差分型」であっても「完結型」であっても常に最新バージョンにすることが容易に可能になる。もちろん、Ｗｉｎｄｏｗｓ（登録商標）では記録媒体の装着を検出し、自動的に所定のソフトウェアを起動する機能が提供されているのでこの機能を利用して導入判定ソフトウェアが起動されるようにしてもかまわない。ここで、導入判定ソフトウェアは、ＲＡＭ領域若しくは第３の記録媒体に記録されているコンテンツ記録情報を参照し、コンテンツ導入用のハイブリッド記録媒体１０に記録されているコンテンツを導入するか、第２の記録媒体に記録されているコンテンツを導入するかの判定を行う。
【００３５】
図１６はコンテンツ導入用ハイブリッド記録媒体のＲＯＭ領域に記録されている導入判定ソフトウェアの動作を示すフローチャートである。同図において、導入判定ソフトウェアの動作は、先ずコンテンツ導入ソフトウェアを導入し（ステップＳ１０１）、更にバージョンアップソフトウェアを導入する（ステップＳ１０２）。そして、コンテンツ導入用の図２のハイブリッド記録媒体１０のＲＡＭ領域のチェックを行い（ステップＳ１０３）、ＲＡＭ領域にコンテンツ記録情報が記録されていなければ（ステップＳ１０３；ＮＯ）、コンテンツ導入処理状態を「処理完了」に設定し（ステップＳ１０４）、第１の導入ソフトウェアを起動し（ステップＳ１０５）、処理を終了する。なお、ステップＳ１０４は再導入の時、コンテンツ導入要否情報が「要」であった場合、バージョンアップソフトウェアは第１の導入ソフトウェアを起動することでコンテンツ導入用のハイブリッド記録媒体１０からコンテンツを導入するが、その時、第１の導入ソフトウェアは導入完了情報を、コンテンツ導入処理状態を使用して通知してくるための処理である。一方、ステップＳ１０３でＲＡＭ領域にコンテンツ記録情報が記録されていれば（ステップＳ１０３；ＹＥＳ）、ＲＡＭ領域拡張識別子が記録されているかのチェックを行う（ステップＳ１０６）。このＲＡＭ領域拡張識別子が記録されていなければ（ステップＳ１０６；ＮＯ）、ＲＡＭ領域に記録されているコンテンツ記録情報を読み込み（ステップＳ１０７）、この識別子が記録されていれば（ステップＳ１０６；ＹＥＳ）、図２の第３の記録媒体１４からコンテンツ記録情報を読み込む（ステップＳ１０８）。読み込んだコンテンツ記録情報を記憶部（メモリ）に複写し（ステップＳ１０９）、情報処理装置に導入されているバージョンアップソフトウェアを起動し（ステップＳ１１０）、処理を終了する。
【００３６】
図１７は第３の記録媒体からコンテンツ記録情報を読み込む動作を示すフローチャートである。はじめに、例えば「保管している最新のコンテンツ記録情報を記録したディスクを装着してください」等を利用者に通知して、最新のコンテンツ記録情報が記録されている図２の第３の記録媒体１４を利用者に要求する（ステップＳ２０１）。装着された記録媒体が第３の記録媒体１４であるかはＲＡＭ領域識別子が記録されているかどうかによってチェックを行う（ステップＳ２０２）。ＲＡＭ領域識別子が記録されていなければ（ステップＳ２０２；ＮＯ）、利用者に正しい第３の記録媒体１４を要求する（ステップＳ２０１）。この時、例えば「このディスクにはコンテンツ記録情報は記録されていません。正しいディスクを装着してください。」等により、装着されている記録媒体は第３の記録媒体１４ではないことを利用者に通知すると良い。次に、第３の記録媒体１４の記録領域が更に別の第３の記録媒体１４に拡張されていないかどうかをＲＡＭ領域拡張識別子が記録されているかによってチェックを行う（ステップＳ２０３）。ＲＡＭ領域拡張識別子が記録されていれば（ステップＳ２０３；ＹＥＳ）、この第３の記録媒体１４の記録領域は別の第３の記録媒体１４に拡張されたことになるので、利用者に正しい第３の記録媒体を要求する（ステップＳ２０１）。この時、例えば「このディスクに記録されているコンテンツ記録情報は無効です。正しいディスクを装着してください。」等により、装着されている記録媒体は第３の記録媒体１４ではないことを利用者に通知すると良い。ＲＡＭ領域識別子とコンテンツ記録情報が記録されている第３の記録媒体１４からコンテンツ記録情報を読み込む（ステップＳ２０４）。このようにして、コンテンツがバージョンアップされていない（コンテンツ導入用の図２のハイブリッド記録媒体１０のＲＡＭ領域にコンテンツ記録情報がない）場合、導入判定ソフトウェアはコンテンツ導入用のハイブリッド記録媒体１０に記録されているコンテンツを導入するためにコンテンツ導入用のハイブリッド記録媒体１０に記録されている第１の導入用ソフトウェアを起動する。また、第１の導入ソフトウェアは、コンテンツがバージョンアップされていてコンテンツ記録情報のコンテンツ導入要否情報が「要」の場合もバージョンアップソフトウェアからコンテンツ導入用のハイブリッド記録媒体１０に記録されているコンテンツを導入するために起動される。
【００３７】
図１８は第１の導入ソフトウェアの動作を示すフローチャートである。同図において、先ずコンテンツ導入用の図２のハイブリッド記録媒体１０からのコンテンツを導入し（ステップＳ３０１）、第１の導入ソフトウェアによるコンテンツ導入の完了を通知するためコンテンツ導入処理状態を「処理完了」に設定し（ステップＳ３０２）、処理を終了する。このようにして、コンテンツがバージョンアップされている（コンテンツ導入用の図２のハイブリッド記録媒体１０のＲＡＭ領域若しくは図２の第３の記録媒体１４にコンテンツ記録情報が記録されている）場合、導入判定ソフトウェアは情報処理装置に導入されているバージョンアップソフトウェアを起動する。
【００３８】
図１９はバージョンアップソフトウェアの動作概要を示すフローチャートである。同図において、バージョンアップソフトウェアは、コンテンツ導入用の図２のハイブリッド記録媒体１０に記録されているコンテンツを必要に応じて導入した後（ステップＳ４０１）、図２の第２の記録媒体１３に記録されているコンテンツを導入する（ステップＳ４０２）。
【００３９】
図２０は図１９のステップＳ４０１の詳細動作を示すフローチャートである。同図において、コンテンツ記録情報に記録されているコンテンツ導入要否情報が「要」の場合（ステップＳ５０１；ＹＥＳ）、コンテンツ導入用の図２のハイブリッド記録媒体１０に記録されているコンテンツの導入を行う。そして、コンテンツ導入処理状態を「処理中」に設定し（ステップＳ５０２）、第１の導入ソフトウェアを起動することでコンテンツの導入を開始する（ステップＳ５０３）。第１の導入ソフトウェアは導入を完了するとコンテンツ導入処理状態を「処理完了」に設定してくるので、第１の導入ソフトウェアによるコンテンツ導入が完了したら（ステップＳ５０４；ＹＥＳ）処理を終了する。一方、ステップＳ５０１でコンテンツ記録情報に記録されているコンテンツ導入要否情報が「不要」の場合（ステップＳ５０１；ＮＯ）、コンテンツ導入用のハイブリッド記録媒体１０に記録されているコンテンツの導入は不要であるので処理を終了する。
【００４０】
図２１は図１９のステップＳ４０２の詳細動作を示すフローチャートである。同図において、図１９のステップＳ４０１で必要に応じてコンテンツ導入用の図２のハイブリッド記録媒体１０からコンテンツを導入の後、バージョンアップソフトウェアは図２の第２の記録媒体１３からコンテンツ導入を行う。そして、バージョンテーブル数が指し示すバージョンテーブル（最終位置）から利用者への最新バージョン通知目的で最新バージョン番号を取得する（ステップＳ６０１）。バージョンテーブルの最初に記録されているバージョン情報を取得するためにバージョンテーブルインデックスＮを１に設定する（ステップＳ６０２）。但し、実際のプログラミングにおいてインデックスＮは０から始まることが多いが本実施例ではＮ＝１で説明する。次に、バージョンテーブルに記録されているバージョン情報分のコンテンツを第２の記録媒体１３から導入して終了する（ステップＳ６０３）。この際バージョンテーベル数がＮより大きいときはバージョンテーブルのＮ番目の位置に記録されているバージョン情報を取得する（ステップＳ６０３；ＮＯ、ステップＳ６０４）。この時、先に取得した最新バージョン情報と合わせて、例えば「最新バージョンＶｍにバージョンアップします。バージョンＶｎのディスクを装着してください。」等の通知を行うと利用者は非常に分かり易い。そして、第２の記録媒体１３に記録されているバージョン情報と比較し、正しいバージョンのコンテンツが記録されている第２の記録媒体１３を要求する（ステップＳ６０５）。次に、正しい第２の記録媒体１３が装着されると（ステップＳ６０６；ＹＥＳ）、コンテンツ導入処状態を「処理中」に設定し（ステップＳ６０７）、第２の導入ソフトウェアを起動する（ステップＳ６０８）。そして、第２の導入ソフトウェアは導入を完了するとコンテンツ導入処理状態を「処理完了」に設定してくるので（ステップＳ６０９；ＹＥＳ）、第２の導入ソフトウェアによるコンテンツ導入が完了するのを待つ。その後、第２の導入ソフトウェアによる第２の記録媒体からの導入が完了後、バージョンテーブルに記録されている次のバージョン情報の位置を取得する（ステップＳ６１０）。これをバージョンテーブル数繰り返す。
【００４１】
図２２は第２の導入ソフトウェアの動作を示すフローチャートである。同図において、バージョンアップソフトウェアによって起動される。図２の第２の記録媒体１３からコンテンツを導入し（ステップＳ７０１）、第２の導入ソフトウェアによるコンテンツ導入の完了を通知するためコンテンツ導入処理状態を「処理完了」に設定して処理を終了する（ステップＳ７０２）。なお、バージョンアップソフトウェアはコンテンツ導入処理状態が「処理完了」になることを検出して次に導入すべきコンテンツの導入へ処理を移す。
【００４２】
次に、コンテンツのバージョンアップについて説明すると、利用者は導入されているコンテンツ記録ソフトウェアを起動することで、コンテンツ提供者等が提供するコンテンツのバージョンアップ情報を参照し、コンテンツをバージョンアップすることを可能にする。以下、コンテンツのバージョンアップについて動作フローに従って詳細に説明する。
【００４３】
図２３はコンテンツ記録ソフトウェアの動作を示すフローチャートである。同図において、コンテンツ記録ソフトウェアは、コンテンツ導入用の図２のハイブリッド記録媒体１０の装着を要求し、コンテンツ導入用のハイブリッド記録媒体１０が装着されたならば（ステップＳ８０１；ＹＥＳ）、コンテンツ導入用のハイブリッド記録媒体１０のＲＡＭ領域にコンテンツ記録情報が記録されていれば（ステップＳ８０２；ＹＥＳ）、コンテンツ記録情報を読み込む（ステップＳ８０３）。読み込んだコンテンツ記録情報から最新コンテンツのバージョン番号を取得する（ステップＳ８０４）。一方、コンテンツ記録情報が記録されていない時（ステップＳ８０２；ＮＯ）、利用者によるコンテンツのバージョンアップはしていないと判断し、コンテンツ記録情報読み込み領域のコンテンツ導入要否情報を「要」でも「不要」でもない情報をセットしておけばよい（ステップＳ８０５）。次に、コンテンツ提供者が提供する所定のインターネット上のアドレスに接続して最新バージョン情報を取得する（ステップＳ８０６）。そして、コンテンツ記録情報から取得した最新コンテンツのバージョン番号とコンテンツ提供者が提供している最新コンテンツのバージョン番号とを比較し（ステップＳ８０７）、コンテンツ提供者が提供するインターネット上に新しいバージョンがある場合は（ステップＳ８０７；ＹＥＳ）、これをダウンロードする（ステップＳ８０８）。ダウンロードするのはコンテンツ提供者が提供する最新バージョンのコンテンツとこれを導入するための第２の導入ソフトウェアである。新しいバージョンがない場合は（ステップＳ８０７；ＮＯ）、その旨を利用者に通知し（ステップＳ８０９）、コンテンツ記録ソフトウェアは処理を終了する。そして、ステップＳ８０８でダウンロードを完了すると、コンテンツ記録情報情報を生成若しくは更新してコンテンツ記録情報を記録した後（ステップＳ８１０）、第２の記録媒体１３の装着を要求して第２の記録媒体１３が装着されたならば（ステップＳ８１１；ＹＥＳ）、第２の記録媒体１３に記録するコンテンツのバージョン情報と第２の導入ソフトウェアとダウンロードされている最新バージョンのコンテンツを記録して（ステップＳ８１２）、処理を終了する。
【００４４】
図２４は図２３のステップＳ８０３の動作を示すフローチャートである。同図において、ＲＡＭ領域拡張識別子が記録されているかのチェックを行い（ステップ９０１）、ＲＡＭ領域拡張識別子が記録されていなければ（ステップＳ９０１；ＮＯ）、ＲＡＭ領域に記録されているコンテンツ記録情報を読み込み（ステップＳ９０２）、コンテンツ記録情報をどこから読み込んだかを示す、コンテンツ記録情報読み込み先情報をハイブリッド記録媒体に設定する（ステップＳ９０３）。そして、現在のＲＡＭ領域の空領域として、ＲＡＭ領域の空領域からＲＡＭ領域拡張識別子の領域を差し引いた値を空領域情報に設定する（ステップＳ９０４）。一方、ステップＳ９０１でＲＡＭ領域拡張識別子が記録されていれば（ステップＳ９０１；ＹＥＳ）、図１７のステップＳ２０４で示すフローと同様に第３の記録媒体に記録されているコンテンツ記録情報を読み込み（ステップＳ９０５）、コンテンツ記録情報読み込み先情報を図２の第３の記録媒体１４に設定する（ステップＳ９０６）。そして、現在の第３の記録媒体１４の空領域として、第３の記録媒体１４の空領域からＲＡＭ領域拡張識別子の領域を差し引いた値を空領域情報に設定する（ステップＳ９０７）。
【００４５】
図２５は図２３のステップＳ８１０の動作を示すフローチャートである。同図の動作フローはコンテンツ記録情報の生成、更新に関する処理フローである。同図において、ダウンロードしたコンテンツが差分型の場合（ステップＳ１００１；ＹＥＳ）、コンテンツ記録情報のコンテンツ導入要否情報が「要」でも「不要」でもないときは（ステップＳ１００２；ＮＯ）、コンテンツ記録情報を生成するものと判断する。つまり、初めてのバージョンアップが発生したと判断する。この場合はコンテンツ導入用ハイブリッド記録媒体に記録されているコンテンツの導入が必要であるから、コンテンツ導入要否情報には「要」を設定し（ステップＳ１００３）、バージョンテーブル数を１に設定する（ステップＳ１００４）。既にコンテンツ記録情報が記録されている場合は（ステップＳ１００２；ＹＥＳ）、バージョンテーブル数に１を加算する（ステップＳ１００５）。一方、ステップＳ１００１でダウンロードしたコンテンツが完結型の場合（ステップＳ１００１；ＮＯ）、コンテンツ導入用ハイブリッド記録媒体に記録されているコンテンツの導入は不要であるから、コンテンツ導入要否情報を「不要」に設定し（ステップＳ１００６）、ここで記録される第２の記録媒体だけで最新バージョンにできることからバージョンテーブル数を１に設定する（ステップＳ１００７）。そして、バージョンテーブル数が指し示す位置にバージョン番号をバージョン情報として格納する（ステップＳ１００８）。そして、生成若しくは更新されたコンテンツ記録情報をコンテンツ導入用の図２のハイブリッド記録媒体１０、若しくは第３の記録媒体１４、若しくは別の第３の記録媒体１４に記録する（ステップＳ１００９）。
【００４６】
図２６はコンテンツ記録情報の記録動作を示すフローチャートである。同図において、図２４のステップＳ９０４若しくはステップＳ９０７で算出済みの空領域情報の方がこれから記録しようとするコンテンツ記録情報の容量よりも多い場合（ステップＳ１１０１；ＹＥＳ）、図２４のＳ９０３若しくはＳ９０６からで設定されるコンテンツ記録情報読み込み先が図２のハイブリッド記録媒体１０であれば（ステップＳ１１０２；ＹＥＳ）、ハイブリッド記録媒体１０のＲＡＭ領域にコンテンツ記録情報を記録する（ステップＳ１１０３）。そして、コンテンツ記録情報読み込み先が図２の第３の記録媒体１４であれば（ステップＳ１１０２；ＮＯ）、第３の記録媒体１４の記録領域にコンテンツ記録情報を記録する（ステップＳ１１０４）。次に、ステップＳ１１０１で空領域情報の方がこれから記録しようとするコンテンツ記録情報の容量よりも少ないか等しく（ステップＳ１１０１；ＮＯ）、コンテンツ記録情報読み込み先情報がハイブリッド記録媒体であれば（ステップＳ１１０５；ＹＥＳ）、ハイブリッド記録媒体１０のＲＡＭ領域にＲＡＭ領域拡張識別子を記録する（ステップＳ１１０６）。一方、コンテンツ記録情報読み込み先情報が第３の記録媒体１４であれば（ステップＳ１１０５；ＮＯ）、第３の記録媒体１４の記録領域にＲＡＭ領域拡張識別子を記録し（ステップＳ１１０７）、この第３の記録媒体１４は保管不要になったことを通知する（ステップＳ１１０８）。例えば「コンテンツ記録情報はこのあと別のディスクに記録します。このディスクの保管は不要です」等を利用者に通知すればよい。この後、新たにコンテンツ記録情報を記録するための第３の記録媒体１４を利用者に要求する（ステップＳ１１０９）。この時、例えば「コンテンツ記録情報が記録できる新しいディスクを装着してくだい」等を利用者に通知すると良い。装着されたディスクにＲＡＭ領域識別子が記録されていたり（ステップＳ１１１０；ＹＥＳ）、ＲＡＭ領域識別子が記録されていれば（ステップＳ１１１１；ＹＥＳ）、ステップＳ１１０９に戻って別のディスクを要求する。そして、装着されたディスクに何も識別子が記録されていなければ（ステップＳ１１１０；ＮＯ、ステップＳ１１１１；ＮＯ）、第３の記録媒体１４にＲＡＭ領域識別子を記録し（ステップＳ１１１２）、コンテンツ記録情報を記録する（ステップＳ１１０４）。なお、処理を終了する前に、例えば「このディスクに最新のコンテンツ記録情報を記録しました。再導入する時に必要となります。このディスクを大切に保管してください」等を利用者に通知すると良い。
【００４７】
なお、本発明は上記実施例に限定されるものではなく、特許請求の範囲内の記載であれば多種の変形や置換可能であることは言うまでもない。
【００４８】
【発明の効果】
以上説明したように、読み込み専用のＲＯＭ領域と書込み可能なＲＡＭ領域とを有するハイブリッド記録媒体における情報記録再生方法によれば、ＲＡＭ領域には、プログラムやデータであるコンテンツ記録情報と、該コンテンツを記録不可能となったとき他の記録媒体に記録して拡張することを示すＲＡＭ領域拡張識別子とが記憶される。よって、コンテンツ記録情報の記録、参照先は他の記録媒体であることが判別でき、ハイブリッド記録媒体のＲＡＭ領域を一般的な他の記録媒体の記録領域に拡張することでその領域を無限にできる。
【００４９】
また、ＲＡＭ領域の拡張領域であることを示すＲＡＭ領域識別子が他の記録媒体に記録されることにより、コンテンツ記録情報が記録されている他の記録媒体であることの判別やコンテンツ情報記録を参照すべき他の記録媒体であることが判断できる。
【００５０】
更に、他の記録媒体に拡張されたＲＡＭ領域を更に別の記録媒体に拡張したことを示す領域拡張識別子がＲＡＭ領域に記憶されることにより、コンテンツ記録情報の記録、参照先は更に別の記録媒体であることが判別できる。
【００５１】
また、他の記録媒体に拡張されたＲＡＭ領域が更に拡張したことを示す領域識別子がＲＡＭ領域に記録されることにより、コンテンツ記録情報が記録されている更に別の記録媒体であることの判別やコンテンツ記録情報を参照すべき更に別の記録媒体であることが判断できる。
【００５２】
更に、ＲＡＭ領域の空容量からＲＡＭ領域拡張識別子の容量を差し引いた容量が記録しようとするコンテンツ記録情報の容量より少ないときに、ＲＡＭ領域にＲＡＭ領域拡張識別子を記録し、ＲＡＭ領域識別子及び領域識別子並びに領域拡張識別子が記録されていない記録媒体に、ＲＡＭ領域識別子及びコンテンツ記録情報を記録する。よって、ＲＡＭ領域拡張識別子が記録されているときは必ず他の記録媒体が存在し、コンテンツ記録情報は他の記録媒体に記録されるようになる。また、他の記録媒体の存在の有無をプログラム的に判断できるので、他の記録媒体の存在を利用者に通知できることから利用者の記憶等に頼らず、確実に最新のコンテンツの導入ができるようになる。
【００５３】
また、他の記録媒体における記録領域の空容量から領域拡張識別子の容量を差し引いた容量が記録しようとするコンテンツ記録情報の容量より少ないときに、他の記録媒体の記録領域に領域拡張識別子を記録し、ＲＡＭ領域識別子及び領域識別子並びに領域拡張識別子が記録されていない記録媒体に、領域識別子及びコンテンツ記録情報を記録する。よって、他の記録媒体に領域拡張識別子が記録されているときは必ず更に別の記録媒体が存在し、コンテンツ記録情報は更に別の記録媒体に記録されるようになる。また、更に別の記録媒体の存在の有無をプログラム的に判断できるので、更に別の記録媒体の存在を利用者に通知できることから利用者の記憶等に頼らず、確実に最新のコンテンツの導入ができるようになる。
【００５４】
更に、領域拡張識別子とＲＡＭ領域拡張識別子とを同じ識別子とすることにより、ハイブリッド記録媒体のＲＡＭ領域が他の記録媒体に拡張されたことの判別が簡単にでき、他の記録媒体が複数枚になった場合でも最後に記録した他の記録媒体だけを保管するだけでよい。
【００５５】
また、領域識別子とＲＡＭ領域拡張識別子とを同じ識別子とすることにより、ハイブリッド記録媒体のＲＡＭ領域を拡張した他の記録媒体であることの判別が簡単にでき、他の記録媒体が複数枚になった場合でも最後に記録した他の記録媒体だけを保管するだけでよい。
【図面の簡単な説明】
【図１】ハイブリッド記録媒体の概略を示す図である。
【図２】図１のハイブリッド記録媒体等の記録媒体に情報の記録再生を行う情報処理装置の構成を示すブロック図である。
【図３】図１のＲＡＭ領域に記録されるコンテンツ記録情報を示す図である。
【図４】初めてのバージョンアップコンテンツが「差分型」だった場合のコンテンツ記録情報を示す図である。
【図５】初めてのバージョンアップコンテンツが「完結型」だった場合のコンテンツ記録情報を示す図である。
【図６】図４の後に更に差分型コンテンツでバージョンアップがあった場合のコンテンツ記録情報を示す図である。
【図７】図５の後に更に差分型コンテンツでバージョンアップがあった場合のコンテンツ記録情報を示す図である。
【図８】コンテンツ提供者が提供するコンテンツ導入用ハイブリッド記録媒体の構成を示す図である。
【図９】コンテンツが記録された第２の記録媒体の構成を示す図である。
【図１０】ハイブリッド記録媒体のＲＡＭ領域にコンテンツ記録情報（ｉ）が記録できなかった時のハイブリッド記録媒体のＲＡＭ領域の構成を示す図である。
【図１１】ハイブリッド記録媒体のＲＡＭ領域にコンテンツ記録情報（ｉ）が記録できなくなった時の第３の記録媒体の構成を示す図である。
【図１２】第３の記録媒体の記録領域にコンテンツ記録情報（ｊ）が記録できなかった時の第３の記録媒体の記録領域の構成を示す図である。
【図１３】第３の記録媒体の記録領域にコンテンツ記録情報が記録できなくなった時の別の第３の記録媒体の記録領域の構成を示す図である。
【図１４】別の第３の記録媒体の記録領域にコンテンツ記録情報が記録できなくなった時の更に別の第３の記録媒体の記録領域の構成を示す図である。
【図１５】別の第３の記録媒体の記録領域にコンテンツ記録情報が記録できなくなった時の更に別の第３の記録媒体の記録領域の構成を示す図である。
【図１６】コンテンツ導入用ハイブリッド記録媒体のＲＯＭ領域に記録されている導入判定ソフトウェアの動作を示すフローチャートである。
【図１７】第３の記録媒体からコンテンツ記録情報を読み込む動作を示すフローチャートである。
【図１８】第１の導入ソフトウェアの動作を示すフローチャートである。
【図１９】バージョンアップソフトウェアの動作概要を示すフローチャートである。
【図２０】図１９のステップＳ４０１の詳細動作を示すフローチャートである。
【図２１】図１９のステップＳ４０２の詳細動作を示すフローチャートである。
【図２２】第２の導入ソフトウェアの動作を示すフローチャートである。
【図２３】コンテンツ記録ソフトウェアの動作を示すフローチャートである。
【図２４】図２３のステップＳ８０３の動作を示すフローチャートである。
【図２５】図２３のステップＳ８１０の動作を示すフローチャートである。
【図２６】コンテンツ記録情報の記録動作を示すフローチャートである。
【符号の説明】
１０；ハイブリッド記録媒体、１１；ＲＯＭ領域、１２；ＲＡＭ領域、
１３；第２の記録媒体、１４；第３の記録媒体、
２０；情報処理装置、２１；ＣＰＵ、２２；内部記録部、
２３；表示部、２４；入力部、２５；記憶部、２６；記録再生部、
２７；公衆回線接続部、２８；システムバス。
【図１】
2005037982.tif 000003
【図２】
2005037982.tif 000004
【図３】
2005037982.tif 000005
【図４】
2005037982.tif 000006
【図５】
2005037982.tif 000007
【図６】
2005037982.tif 000008
【図７】
2005037982.tif 000009
【図８】
2005037982.tif 000010
【図９】
2005037982.tif 000011
【図１０】
2005037982.tif 000012
【図１１】
2005037982.tif 000013
【図１２】
2005037982.tif 000014
【図１３】
2005037982.tif 000015
【図１４】
2005037982.tif 000016
【図１５】
2005037982.tif 000017
【図１６】
2005037982.tif 000018
【図１７】
2005037982.tif 000019
【図１８】
2005037982.tif 000020
【図１９】
2005037982.tif 000021
【図２０】
2005037982.tif 000022
【図２１】
2005037982.tif 000023
【図２２】
2005037982.tif 000024
【図２３】
2005037982.tif 000025
【図２４】
2005037982.tif 000026
【図２５】
2005037982.tif 000027
【図２６】
2005037982.tif 000028